(57)【要約】【課題】断熱材と通気用の胴縁とを有する屋根用パネルにおいて、施工に際して、垂木の方向と直角の方向の撓み量を小さくして、屋根への施工を容易とすることができ、特に、剛性の低い断熱材を使用しても、垂木の方向と直角の方向の撓み量を小さくすることができ、また、施工後の屋根用パネルの強度を十分確保することができる屋根用パネルを提供する。【解決手段】長方形状の野地板１０と、野地板１０に固着して設けられた胴縁２０と、胴縁２０に固着された遮熱材５０とを有し、胴縁２０は、長辺に平行に設けられた胴縁部材２２、２４、２６、２８と、短辺に平行に設けられた胴縁部材３０、３２、３４ａ〜３４ｃとを有し、各胴縁部材において、長手方向の両側面を連通する複数の凹部４０が野地板１０側に一定の間隔を介して形成されている。【選択図】図２
2010150886.tif 000002
【特許請求の範囲】
【請求項１】
木造家屋の屋根の垂木に取り付ける屋根用パネルであって、
方形状の板状の野地板と、
野地板の一方の面に固着して設けられた胴縁で、野地板の相対する辺部に沿って設けられた略四角柱状の第１胴縁部材と、野地板の他の相対する辺部に沿って設けられた略四角柱状の第２胴縁部材とにより枠状に形成され、第１胴縁部材及び第２胴縁部材において、長手方向の両側面を連通する複数の凹部が野地板側に一定の間隔を介して形成された胴縁と、
胴縁の野地板側とは反対側に固着して設けられた方形状の板状の遮熱材と、
を有し、
野地板と遮熱材との間に空気層が形成されていることを特徴とする屋根用パネル。
【請求項２】
木造家屋の屋根の垂木に取り付ける屋根用パネルであって、
方形状の板状の野地板と、
野地板の一方の面に固着して設けられた胴縁で、野地板の相対する辺部に沿って設けられた略四角柱状の第１胴縁部材と、野地板の他の相対する辺部に沿って設けられた略四角柱状の第２胴縁部材とにより略枠状に形成され、一対の第１胴縁部材における一方の第１胴縁部材が、複数の略四角柱状の部材を間隔を介して直線状に配して構成されるとともに、一対の第２胴縁部材との間にも間隔を介して構成され、第１胴縁部材及び第２胴縁部材において、長手方向の両側面を連通する複数の凹部が野地板側に一定の間隔を介して形成された胴縁と、
胴縁の野地板側とは反対側に固着して設けられた方形状の板状の遮熱材と、
を有し、
野地板と遮熱材との間に空気層が形成されていることを特徴とする屋根用パネル。
【請求項３】
該一方の第１胴縁部材を構成する複数の略四角柱状の部材間の間隔及び該一方の第１胴縁部材と第２胴縁部材との間隔が、隣接する凹部間の該一定の間隔よりも大きく形成されていることを特徴とする請求項２に記載の屋根用パネル。
【請求項４】
野地板及び遮熱材が長方形状を呈し、野地板の長辺に沿って第１胴縁部材が設けられ、野地板の短辺に沿って第２胴縁部材が設けられ、２つの第１胴縁部材において、複数の凹部における各凹部が長辺方向において同じ位置に設けられ、屋根用パネルの長辺側同士が接した状態で２つの屋根用パネルを隣接させた際に、屋根用パネルの長辺の長さの２分の１の長さだけずらした隣接した場合及び屋根用パネルの長辺の長さの４分の１の長さだけずらした隣接した場合に、２つの屋根用パネルにおける互いに対応する凹部において一方の凹部における他方の凹部側の領域の少なくとも一部が他方の凹部における一方の凹部側の領域と対向することを特徴とする請求項１又は２又は３に記載の屋根用パネル。
【請求項５】
野地板は、その長辺が胴縁の長辺方向の最大長さと同じに形成されるとともに、その短辺が胴縁の短辺方向の最大長さと同じに形成され、一方の第１胴縁部材における外側面を正面側とした場合に、野地板の正面側の端部は、該胴縁の正面側の端部よりも正面側に突出して形成され、野地板の背面側の端部は、背面側の第１胴縁部材の上面に位置し、野地板の右側面側の端部は胴縁の右側面側の端部である一方の第２胴縁部材の外側面と長辺方向において一致して形成され、野地板の左側面側の端部は胴縁の左側面側の端部である他方の第２胴縁部材の外側面と長辺方向において一致して形成され、遮熱材は、野地板の外形と同じ大きさに形成され、遮熱材の正面側の端部は、胴縁の正面側の端部と長辺方向において一致して形成され、遮熱材の背面側の端部は、胴縁の背面側の端部である他方の第１胴縁部材の外側面と前後方向において一致して形成され、遮熱材の右側面側の端部は胴縁の右側面側の端部である一方の第２胴縁部材の外側面と長辺方向において一致して形成され、遮熱材の左側面側の端部は胴縁の左側面側の端部である他方の第２胴縁部材の外側面と長辺方向において一致して形成されていることを特徴とする請求項４に記載の屋根用パネル。
【請求項６】
胴縁を構成する一対の第１胴縁部材における正面側の第１胴縁部材の正面側の外側面は、遮熱材の正面側の端部と前後方向において一致して形成されていることを特徴とする請求項５に記載の屋根用パネル。
【請求項７】
胴縁を構成する一対の第１胴縁部材における正面側の第１胴縁部材は、遮熱材の正面側の端部及び胴縁の正面側の端部をなす第２胴縁部材の正面側の端部よりも背面側にずれて形成され、該正面側の第１胴縁部材と遮熱材の正面側の端部との間には間隔が設けられていることを特徴とする請求項５に記載の屋根用パネル。
【請求項８】
上記一対の第１胴縁部材の間の位置に、一対の第１胴縁部材に平行に設けられた略四角柱状の内側第１胴縁部材で、長手方向の両側面を連通する複数の凹部が野地板側に一定の間隔を介して形成された内側第１胴縁部材が設けられ、また、上記一対の第２胴縁部材の間の位置に、一対の第２胴縁部材に平行に設けられた略四角柱状の内側第２胴縁部材で、長手方向の両側面を連通する複数の凹部が野地板側に一定の間隔を介して形成された内側第２胴縁部材が設けられていることを特徴とする請求項１又は２又は３又は４又は５又は６又は７に記載の屋根用パネル。
【請求項９】
木造家屋の屋根の垂木に取り付ける屋根用パネルであって、
板状の野地板と、
野地板の一方の面に設けられた胴縁で、互いに平行に設けられた複数の略四角柱状の胴縁部材を有し、各胴縁部材が、長手方向の両側面を連通する凹部を野地板側に有する胴縁と、
胴縁の野地板側とは反対側に設けられた板状の遮熱材で、一対のシート状のアルミニウム層の間に複数の樹脂製空気袋を有する遮熱材と、
を有し、
野地板と遮熱材との間に空気層が形成されていることを特徴とする屋根用パネル。
【請求項１０】
野地板及び遮熱材が長方形状を呈し、野地板の長辺に沿って上記胴縁部材が設けられ、複数の胴縁部材において、複数の凹部における各凹部が長辺方向において同じ位置に設けられ、屋根用パネルの長辺側同士が接した状態で２つの屋根用パネルを隣接させた際に、屋根用パネルの長辺の長さの２分の１の長さだけずらした隣接した場合及び屋根用パネルの長辺の長さの４分の１の長さだけずらした隣接した場合に、２つの屋根用パネルにおける互いに対応する凹部において一方の凹部における他方の凹部側の領域の少なくとも一部が他方の凹部における一方の凹部側の領域と対向することを特徴とする請求項９に記載の屋根用パネル。
【請求項１１】
上記遮熱材が、一対のシート状のアルミニウム層の間に複数の樹脂製空気袋を有する構成であることを特徴とする請求項１又は２又は３又は４又は５又は６又は７又は８又は９又は１０に記載の屋根用パネル。
【発明の詳細な説明】
【技術分野】
【０００１】
本発明は、屋根用パネルに関するものであり、特に、屋根の断熱と通気を行なうことができる屋根用パネルに関するものである。
【背景技術】
【０００２】
従来より、木造家屋の屋根の断熱と通気を行なう方法として、特許文献１には、特許文献１の図３に示すように、垂木（たるき）の屋外側にアルミ熱線反射材を取り付け、アルミ熱線反射材の屋外側に垂木に通気胴縁を設け、通気胴縁の屋外側にルーフィングを設ける点が開示されている。
【０００３】
また、従来における屋根の施工方法として、図１３に示すように、垂木５００の屋外側に合板５０２を設け、該合板５０２の屋外側に遮熱材５０４を設け、遮熱材５０４の屋外側の垂木５００に対応する位置に垂木５００に平行に板状の胴縁５０６を設け、該胴縁５０６の屋外側に合板からなる野地板５０８を設け、該野地板５０８の上面にルーフィング５１０を設ける方法が行われる。ここで、該遮熱材５０４は、一対のアルミニウム層の内側に空気袋が平面状に配列された空気層を設けたものである。また、ルーフィング５１０は、例えば、野地板５０８の屋外側に設けられたアスファルトルーフィング５１２と、アスファルトルーフィング５１２の屋外側に設けられたコロニアル５１４から構成されている。
【０００４】
また、垂木に支持される屋根パネルとして、特許文献２に示すように、板状の断熱材からなる芯材部と、該芯材部の一方面に胴縁を介して取付けられる野地板と、野地板と芯材部との間に形成される通気層と、芯材部の他方面に垂木を挟む間隔を設けて芯材部より突出した断熱補足材とを設けたものが存在する。
【０００５】
また、出願人は、木造家屋用胴縁材に関して、特許文献３に記載のものを知得している。
【特許文献１】特開２００７−１３８５５８号公報
【特許文献２】実用新案登録第２６０３６２７号公報
【特許文献３】特許第２８４４４５７号公報
【発明の開示】
【発明が解決しようとする課題】
【０００６】
しかし、上記特許文献１に示す施工方法においては、垂木の屋外側にアルミ熱線反射材を設け、その後に通気胴縁を設けることから、施工者はアルミ熱線反射材の上側から通気胴縁を施工しなければならないが、アルミ熱線反射材に垂木が覆われているので垂木の位置を確認しづらく、また、アルミ熱線反射材は柔らかい素材であるので、施工者がアルミ熱線反射材における垂木の位置以外の位置を踏むと、施工者が落下してしまうおそれがある。
【０００７】
そのような問題を解決するために図１３に示す施工方法が採られており、図１３に示す施工方法においては、垂木５００の屋外側に合板５０２を施工し、合板５０２の上に遮熱材５０４を施工するので、遮熱材５０４の施工に際しては、施工者は合板５０２の上に乗って施工作業を行うことができるので、落下のおそれがない。
【０００８】
しかし、図１３に示す施工方法の場合には、遮熱材５０４の下側に設けられる合板５０２を施工しなければならないという問題がある。つまり、断熱の点では本来不要であるはずの合板５０２を施工しなけれならない。また、図１３に示す方法においても、胴縁５０６を垂木５００に対応する位置に施工しなければならないが、垂木５００は合板５０２と遮熱材５０４に覆われているので、胴縁５０６を垂木５００の位置に正確に施工するのが困難であるという問題がある。つまり、胴縁５０６の施工が困難であり、その点は、特許文献１においても同様である。
【０００９】
また、上記特許文献２に記載の屋根パネルにおいては、断熱材からなる芯材部と、胴縁と、野地板とが一体になっているので、図１３に示す施工方法のように合板を別途施工する必要はないが、胴縁が互いに平行に設けられているのみであるので、剛性が十分でないという問題があった。特に、胴縁の方向の撓（たわ）みには剛性があっても、胴縁の方向と直角の方向の撓みには弱いという問題があった。特に、断熱材に剛性が弱いものを使用すると、胴縁の方向と直角方向に撓みやすくなり、全体の剛性が低くなって、屋根への施工に際して、屋根用パネルが撓んで施工が困難となる。つまり、特許文献２の屋根パネルにおいては、胴縁を垂木に対して平行に施工するので、胴縁の方向と直角の方向に屋根パネルが撓むと、垂木の上に屋根パネルを配置する作業が容易ではない。すなわち、特許文献１の屋根パネルは、屋根パネルが垂木間のピッチの２つ分の長さの幅を有し、２ピッチ長さ分の間隔をなす２つの垂木間に屋根パネルを配置するが、胴縁と直角の方向の屋根パネルの撓み量が大きいと、容易に２つの垂木間に屋根パネルを配置することができない。
【００１０】
また、特許文献２の屋根パネルでは、垂木に施工した状態では、垂木と胴縁とが平行になるため、屋根パネルにおける胴縁が形成されていない辺部が垂木には固定されず、屋根パネルが垂木から胴縁が形成されていない辺部の側から剥がれてしまうおそれがあり、結果として、施工後の屋根パネルの強度が十分でないという問題がある。
【００１１】
そこで、本発明は、断熱材と通気用の胴縁とを有する屋根用パネルにおいて、施工に際して、垂木の方向と直角の方向の撓み量を小さくして、屋根への施工を容易とすることができ、特に、剛性の低い断熱材を使用しても、垂木の方向と直角の方向の撓み量を小さくすることができ、また、施工後の屋根用パネルの強度を十分確保することができる屋根用パネルを提供することを目的とする。
【課題を解決するための手段】
【００１２】
本発明は上記問題点を解決するために創作されたものであって、第１には、木造家屋の屋根の垂木に取り付ける屋根用パネルであって、方形状の板状の野地板と、野地板の一方の面に固着して設けられた胴縁で、野地板の相対する辺部に沿って設けられた略四角柱状の第１胴縁部材と、野地板の他の相対する辺部に沿って設けられた略四角柱状の第２胴縁部材とにより枠状に形成され、第１胴縁部材及び第２胴縁部材において、長手方向の両側面を連通する複数の凹部が野地板側に一定の間隔を介して形成された胴縁と、胴縁の野地板側とは反対側に固着して設けられた方形状の板状の遮熱材と、を有し、野地板と遮熱材との間に空気層が形成されていることを特徴とする。
【００１３】
この第１の構成の屋根用パネルにおいては、第１胴縁部材又は第２胴縁部材を垂木に対して直角方向として垂木の上に施工する。胴縁が第１胴縁部材と第２胴縁部材とにより枠状に形成されているので、胴縁の剛性を高くすることができ、剛性の低い遮熱材を用いても屋根用パネル全体の剛性を高くすることができる。よって、屋根への施工に際して、屋根用パネルが撓むことがなく、特に、垂木に対して直角の方向となる胴縁部材が設けられているので、垂木の上に配置する際に、垂木の方向と直角の方向に撓むことがなく、垂木の上に容易に屋根用パネルを配置することができる。また、垂木に対して直角の方向となる胴縁部材が設けられていて、これらも該胴縁部材の上から釘で打ち付ける等により垂木に固定されるので、施工後の屋根用パネルの強度も十分確保することができる。また、第１胴縁部材及び第２胴縁部材には凹部が設けられているので、垂木に対して直角の方向となる胴縁部材が設けられていても、空気層を支障なく通気させることができる。
【００１４】
また、本発明の屋根用パネルによれば、複数の屋根用パネルを屋根に施工していくことにより遮熱材を屋根に施工していくことができるので、従来のように遮熱材の下面に合板を施工する必要がない。また、屋根用パネルを垂木の上に施工することにより、遮熱材と胴縁と野地板とを同時に施工することができるので、それぞれを別途に施工する手間が不要となる。また、遮熱材を施工した後に胴縁を施工することがないので、施工者が落下する危険もない。
【００１５】
また、第２には、木造家屋の屋根の垂木に取り付ける屋根用パネルであって、方形状の板状の野地板と、野地板の一方の面に固着して設けられた胴縁で、野地板の相対する辺部に沿って設けられた略四角柱状の第１胴縁部材と、野地板の他の相対する辺部に沿って設けられた略四角柱状の第２胴縁部材とにより略枠状に形成され、一対の第１胴縁部材における一方の第１胴縁部材が、複数の略四角柱状の部材を間隔を介して直線状に配して構成されるとともに、一対の第２胴縁部材との間にも間隔を介して構成され、第１胴縁部材及び第２胴縁部材において、長手方向の両側面を連通する複数の凹部が野地板側に一定の間隔を介して形成された胴縁と、胴縁の野地板側とは反対側に固着して設けられた方形状の板状の遮熱材と、を有し、野地板と遮熱材との間に空気層が形成されていることを特徴とする。
【００１６】
この第２の構成の屋根用パネルにおいては、第１胴縁部材又は第２胴縁部材を垂木に対して直角方向として垂木の上に施工する。胴縁が第１胴縁部材と第２胴縁部材とにより枠状に形成されているので、胴縁の剛性を高くすることができ、剛性の低い遮熱材を用いても屋根用パネル全体の剛性を高くすることができる。よって、屋根への施工に際して、屋根用パネルが撓むことがなく、特に、垂木に対して直角の方向となる胴縁部材が設けられているので、垂木の上に配置する際に、垂木の方向と直角の方向に撓むことがなく、垂木の上に容易に屋根用パネルを配置することができる。また、垂木に対して直角の方向となる胴縁部材が設けられていて、これらも該胴縁部材の上から釘で打ち付ける等により垂木に固定されるので、施工後の屋根用パネルの強度も十分確保することができる。また、第１胴縁部材及び第２胴縁部材には凹部が設けられているので、垂木に対して直角の方向となる胴縁部材が設けられていても、空気層を支障なく通気させることができる。
【００１７】
また、一方の第１胴縁部材が、複数の略四角柱状の部材を間隔を介して直線状に配して構成されるとともに、一対の第２胴縁部材との間にも間隔を介して構成されているので、縦方向に隣接する２つの屋根用パネルが横方向にずれて施工された場合でも、縦方向に隣接する屋根用パネル間の空気層を支障なく通気することができる。
【００１８】
また、本発明の屋根用パネルによれば、複数の屋根用パネルを屋根に施工していくことにより遮熱材を屋根に施工していくことができるので、従来のように遮熱材の下面に合板を施工する必要がない。また、屋根用パネルを垂木の上に施工することにより、遮熱材と胴縁と野地板とを同時に施工することができるので、それぞれを別途に施工する手間が不要となる。また、遮熱材を施工した後に胴縁を施工することがないので、施工者が落下する危険もない。
【００１９】
また、第３には、上記第２の構成において、該一方の第１胴縁部材を構成する複数の略四角柱状の部材間の間隔及び該一方の第１胴縁部材と第２胴縁部材との間隔が、隣接する凹部間の該一定の間隔よりも大きく形成されていることを特徴とする。よって、縦方向に隣接する２つの屋根用パネルが横方向に任意の位置にずれて施工された場合でも、隣接する屋根用パネルにおける他方の第１胴縁部材の凹部の少なくとも一部が、上記各隙間に臨むので、野地板と遮熱材間の空気層間を縦方向に隣接する屋根用パネル間で通気させることができる。
【００２０】
また、第４には、上記第１から第３までのいずれかの構成において、野地板及び遮熱材が長方形状を呈し、野地板の長辺に沿って第１胴縁部材が設けられ、野地板の短辺に沿って第２胴縁部材が設けられ、２つの第１胴縁部材において、複数の凹部における各凹部が長辺方向において同じ位置に設けられ、屋根用パネルの長辺側同士が接した状態で２つの屋根用パネルを隣接させた際に、屋根用パネルの長辺の長さの２分の１の長さだけずらした隣接した場合及び屋根用パネルの長辺の長さの４分の１の長さだけずらした隣接した場合に、２つの屋根用パネルにおける互いに対応する凹部において一方の凹部における他方の凹部側の領域の少なくとも一部が他方の凹部における一方の凹部側の領域と対向することを特徴とする。よって、縦方向に隣接する屋根用パネル同士の空気層の通気に支障を来すことがない。
【００２１】
また、第５には、上記第４の構成において、野地板は、その長辺が胴縁の長辺方向の最大長さと同じに形成されるとともに、その短辺が胴縁の短辺方向の最大長さと同じに形成され、一方の第１胴縁部材における外側面を正面側とした場合に、野地板の正面側の端部は、該胴縁の正面側の端部よりも正面側に突出して形成され、野地板の背面側の端部は、背面側の第１胴縁部材の上面に位置し、野地板の右側面側の端部は胴縁の右側面側の端部である一方の第２胴縁部材の外側面と長辺方向において一致して形成され、野地板の左側面側の端部は胴縁の左側面側の端部である他方の第２胴縁部材の外側面と長辺方向において一致して形成され、遮熱材は、野地板の外形と同じ大きさに形成され、遮熱材の正面側の端部は、胴縁の正面側の端部と長辺方向において一致して形成され、遮熱材の背面側の端部は、胴縁の背面側の端部である他方の第１胴縁部材の外側面と前後方向において一致して形成され、遮熱材の右側面側の端部は胴縁の右側面側の端部である一方の第２胴縁部材の外側面と長辺方向において一致して形成され、遮熱材の左側面側の端部は胴縁の左側面側の端部である他方の第２胴縁部材の外側面と長辺方向において一致して形成されていることを特徴とする。
【００２２】
よって、縦方向に屋根用パネルを隣接して施工した場合に、野地板の正面側の下面が正面側に隣接する屋根用パネルの胴縁部材の上面に接した状態で、野地板の正面側の端部が正面側に隣接する屋根用パネルの野地板の背面側に当接するので、屋根用パネルの内側の密閉度を高くすることができる。
【００２３】
また、第６には、上記第５の構成において、胴縁を構成する一対の第１胴縁部材における正面側の第１胴縁部材の正面側の外側面は、遮熱材の正面側の端部と前後方向において一致して形成されていることを特徴とする。
【００２４】
よって、縦方向に屋根用パネルを隣接して施工する場合には、一方の屋根用パネルの正面側の第１胴縁部材と、他方の屋根用パネルの背面側の第１胴縁部材とを接するように並べて配置すればよいので、屋根用パネルの施工が容易である。
【００２５】
また、第７には、上記第５の構成において、胴縁を構成する一対の第１胴縁部材における正面側の第１胴縁部材は、遮熱材の正面側の端部及び胴縁の正面側の端部をなす第２胴縁部材の正面側の端部よりも背面側にずれて形成され、該正面側の第１胴縁部材と遮熱材の正面側の端部との間には間隔が設けられていることを特徴とする。
【００２６】
よって、縦方向に屋根用パネルを隣接して施工した場合に、一方の屋根用パネル（第１屋根用パネル）の正面側の第１胴縁部材と、他方の屋根用パネル（第２屋根用パネル）の背面側の第１胴縁部材との間には隙間が形成され、縦方向に隣接する２つの屋根用パネルが横方向にずれて施工された場合でも、縦方向に隣接する屋根用パネル間の空気層の通気に支障を来すことがない。
【００２７】
なお、上記第５の構成において、上記一方の第１胴縁部材が、複数の略四角柱状の部材を間隔を介して直線状に配して構成され、複数の部材における一部が、遮熱材の正面側の端部と一致して形成され、複数の部材における該一部の部材以外の部材が、遮熱材の正面側の端部及び胴縁の正面側の端部をなす第２胴縁部材の正面側の端部よりも背面側にずれて形成され、該背面側にずれた部材と遮熱材の正面側の端部との間には間隔が設けられている構成としてもよい。
【００２８】
また、第８には、上記第１から第７までのいずれかの構成において、上記一対の第１胴縁部材の間の位置に、一対の第１胴縁部材に平行に設けられた略四角柱状の内側第１胴縁部材で、長手方向の両側面を連通する複数の凹部が野地板側に一定の間隔を介して形成された内側第１胴縁部材が設けられ、また、上記一対の第２胴縁部材の間の位置に、一対の第２胴縁部材に平行に設けられた略四角柱状の内側第２胴縁部材で、長手方向の両側面を連通する複数の凹部が野地板側に一定の間隔を介して形成された内側第２胴縁部材が設けられていることを特徴とする。よって、屋根用パネルの強度をより向上させることができる。
【００２９】
また、第９には、木造家屋の屋根の垂木に取り付ける屋根用パネルであって、板状の野地板と、野地板の一方の面に設けられた胴縁で、互いに平行に設けられた複数の略四角柱状の胴縁部材を有し、各胴縁部材が、長手方向の両側面を連通する凹部を野地板側に有する胴縁と、胴縁の野地板側とは反対側に設けられた板状の遮熱材で、一対のシート状のアルミニウム層の間に複数の樹脂製空気袋を有する遮熱材と、を有し、野地板と遮熱材との間に空気層が形成されていることを特徴とする。
【００３０】
この第９の構成の屋根用パネルにおいては、胴縁部材を垂木に対して直角方向として垂木の上に施工する。屋根用パネルにおいては、胴縁部材が垂木に対して直角方向に施工できるので、剛性の低い遮熱材を用いても、垂木の上に配置する際に垂木の方向と直角の方向に撓むことがなく、垂木の上に容易に屋根用パネルを配置することができる。また、垂木に対して直角の方向となる胴縁部材が設けられていて、該胴縁部材の上から釘で打ち付ける等により垂木に固定されるので、施工後の屋根用パネルの強度も十分確保することができる。また、胴縁部材材には凹部が設けられているので、胴縁部材が垂木に対して直角の方向に施工されても、空気層を支障なく通気させることができる。
【００３１】
また、本発明の屋根用パネルによれば、複数の屋根用パネルを屋根に施工していくことにより遮熱材を屋根に施工していくことができるので、従来のように遮熱材の下面に合板を施工する必要がない。また、屋根用パネルを垂木の上に施工することにより、遮熱材と胴縁と野地板とを同時に施工することができるので、それぞれを別途に施工する手間が不要となる。また、遮熱材を施工した後に胴縁を施工することがないので、施工者が落下する危険もない。
【００３２】
また、第１０には、上記第９の構成において、野地板及び遮熱材が長方形状を呈し、野地板の長辺に沿って上記胴縁部材が設けられ、複数の胴縁部材において、複数の凹部における各凹部が長辺方向において同じ位置に設けられ、屋根用パネルの長辺側同士が接した状態で２つの屋根用パネルを隣接させた際に、屋根用パネルの長辺の長さの２分の１の長さだけずらした隣接した場合及び屋根用パネルの長辺の長さの４分の１の長さだけずらした隣接した場合に、２つの屋根用パネルにおける互いに対応する凹部において一方の凹部における他方の凹部側の領域の少なくとも一部が他方の凹部における一方の凹部側の領域と対向することを特徴とする。よって、縦方向に隣接する屋根用パネル同士の空気層の通気に支障を来すことがない。
【００３３】
また、第１１には、上記第１から第１０までのいずれかの構成において、上記遮熱材が、一対のシート状のアルミニウム層の間に複数の樹脂製空気袋を有する構成であることを特徴とする。
【発明の効果】
【００３４】
本発明に基づく屋根用パネルによれば、胴縁部材が垂木に対して直角方向に施工できるので、剛性の低い遮熱材を用いても、垂木の上に配置する際に垂木の方向と直角の方向に撓むことがなく、垂木の上に容易に屋根用パネルを配置することができる。特に、胴縁が第１胴縁部材と第２胴縁部材とにより枠状（又は略枠状）に形成される場合には、胴縁の剛性を高くすることができ、剛性の低い遮熱材を用いても屋根用パネル全体の剛性を高くすることができ、屋根への施工に際して、屋根用パネルが撓むことがない。
【００３５】
また、垂木に対して直角の方向となる胴縁部材が設けられていて、該胴縁部材の上から釘で打ち付ける等により垂木に固定されるので、施工後の屋根用パネルの強度も十分確保することができる。また、胴縁部材材には凹部が設けられているので、胴縁部材が垂木に対して直角の方向に施工されても、空気層を支障なく通気させることができる。
【００３６】
また、本発明の屋根用パネルによれば、複数の屋根用パネルを屋根に施工していくことにより遮熱材を屋根に施工していくことができるので、従来のように遮熱材の下面に合板を施工する必要がない。また、屋根用パネルを垂木の上に施工することにより、遮熱材と胴縁と野地板とを同時に施工することができるので、それぞれを別途に施工する手間が不要となる。また、遮熱材を施工した後に胴縁を施工することがないので、施工者が落下する危険もない。
【発明を実施するための最良の形態】
【００３７】
本発明においては、断熱材と通気用の胴縁とを有する屋根用パネルにおいて、全体の剛性を十分確保することができ、特に、剛性の低い断熱材を使用しても屋根用パネルの剛性を十分確保できて、屋根への施工に支障がなく、また、施工後の屋根自体の剛性も十分確保することができる屋根用パネルを提供するという目的を以下のようにして実現した。
【００３８】
なお、図１（実施例１）、図１０（実施例２）、図１１（実施例３）、図１２（実施例４）において、（ａ）は屋根用パネルの平面図を示し、（ｂ）は屋根用パネルの正面図を示し、（ｃ）は屋根用パネルの側面図を示すものである。また、図３において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【実施例１】
【００３９】
本発明に基づく屋根用パネル５は、図１〜図４に示すように構成され、野地板１０と、胴縁２０と、遮熱材（「断熱材」としてもよい。他においても同じ）５０とを有していて、野地板１０と遮熱材５０との間には、空気層が形成されている。
【００４０】
ここで、野地板１０は、方形状（具体的には、長方形状）の板状に形成され、木製の合板により形成されている。
【００４１】
また、胴縁２０は、枠状に形成され、胴縁部材２２と、胴縁部材２４と、胴縁部材２６と、胴縁部材２８と、胴縁部材３０と、胴縁部材３２と、胴縁部材３４ａと、胴縁部材３４ｂと、胴縁部材３４ｃとを有している。各胴縁部材は、ともに、木製であり、棒状を呈している。すなわち、各胴縁部材は、略四角柱状を呈し、四角柱状（角材状）に複数の凹部４０を間隔を介して設けた形状を呈している。胴縁部材２２、２４、２６、２８は、野地板１０の長手辺と平行に設けられ、胴縁部材２２、２４、２６、２８における各胴縁部材は互いに平行に設けられている。また、胴縁部材３０、３２、３４ａ、３４ｂ、３４ｃは、野地板１０の短手辺と平行に設けられ、胴縁部材３０と胴縁部材３２と胴縁部材３４ａ、３４ｂ、３４ｃとは互いに平行に設けられ、胴縁部材３０、３２、３４ａ、３４ｂ、３４ｃは、胴縁部材２２、２４、２６、２８と直角方向に形成されている。
【００４２】
胴縁部材２２は、野地板１０の背面側の辺部１０Ｂに沿って設けられ、胴縁部材２２の背面側の面は、野地板１０の背面側の辺部１０Ｂから背面側に突出して形成されている。つまり、胴縁部材２２の背面側の端部と野地板１０の背面側の端部（辺部）間には、間隔Ｓ１が形成されている。これにより、野地板１０の背面側の端部は、背面側の胴縁部材２２の上面に位置している。また、胴縁部材２２の長さは、野地板１０の長手辺の長さに対して胴縁部材３０の幅と胴縁部材３２の幅の分だけ短く形成されている。
【００４３】
また、胴縁部材２４は、胴縁部材２２と平行に胴縁部材２２よりも正面側に間隔を介して設けられている。胴縁部材２４の構成は、胴縁部材２２と同様であるので詳しい説明を省略する。
【００４４】
また、胴縁部材２６は、胴縁部材２２、２４と平行に胴縁部材２４よりも正面側に間隔を介して設けられている。胴縁部材２６の構成は、胴縁部材２２と同様であるので詳しい説明を省略する。
【００４５】
また、胴縁部材２８は、胴縁部材２２、２４、２６と平行に胴縁部材２６よりも正面側に間隔を介して設けられている。つまり、胴縁部材２８は、野地板１０の正面側の辺部１０Ａに沿って設けられ、胴縁部材２８の正面側の面は、野地板１０の正面側の端部よりも背面側にずれた位置となっている。つまり、胴縁部材２８の正面側の端部と野地板１０の正面側の端部（辺部）間には、間隔Ｓ２が形成されていて、間隔Ｓ１と間隔Ｓ２とは同じ長さとなっている。すなわち、胴縁部材２２が野地板１０の辺部１０Ｂから突出した長さだけ胴縁部材２８の正面側の面が野地板１０の辺部１０Ａから背面側の位置にある。つまり、野地板１０と胴縁２０の外形は同大同形状に形成され、野地板１０が幅Ｓ１（＝Ｓ２）だけ胴縁２０に対して正面側にずれて形成されているといえる。つまり、野地板１０の正面側の端部は、胴縁２０の正面側の端部（つまり、胴縁部材２８の正面側の端部）よりも正面側に突出して形成されている。胴縁部材２８の構成は、胴縁部材２２と同様であるので詳しい説明を省略する。
【００４６】
なお、胴縁部材２２と胴縁部材２４間の距離Ｓ１１と胴縁部材２４と胴縁部材２６間の距離Ｓ１２とは略同一に形成され、胴縁部材２６と胴縁部材２８間の距離Ｓ１３は、Ｓ１１、Ｓ１２よりも若干短く形成されている。
【００４７】
また、胴縁部材３０は、野地板１０の左側面側の辺部１０Ｃに沿って設けられ、胴縁部材３０の左側面側の面は、野地板１０の辺部１０Ｃと左右方向（長辺方向）において一致している。つまり、胴縁部材３０の左側面側の面と、野地板１０の辺部１０Ｃ側の端部とは面一となっている。この胴縁部材３０の長さは、野地板１０の短手方向の長さと同一に形成され、胴縁部材３０の背面側の端部は、胴縁部材２２と同様に、野地板１０の背面側の辺部１０Ｂから突出して形成され、胴縁部材３０の正面側の端部は、胴縁部材２８と同様に、野地板１０の正面側の辺部１０Ａよりも背面側にある。つまり、胴縁部材３０の背面側の面と胴縁部材２２の背面側の面とは面一に形成され、胴縁部材３０の正面側の面と胴縁部材２８の正面側の面とは面一に形成されている。
【００４８】
また、胴縁部材３２は、野地板１０の右側面側の辺部１０Ｄに沿って設けられ、胴縁部材３２の右側面側の面は、野地板１０の辺部１０Ｄと左右方向において一致している。つまり、胴縁部材３２の右側面側の面と、野地板１０の辺部１０Ｄ側の端部とは面一となっている。この胴縁部材３２の長さは、野地板１０の短手方向の長さと同一に形成され、胴縁部材３２の背面側の端部は、胴縁部材２２と同様に、野地板１０の背面側の辺部１０Ｂから突出して形成され、胴縁部材３２の正面側の端部は、胴縁部材２８と同様に、野地板１０の正面側の辺部１０Ａよりも背面側にある。つまり、胴縁部材３２の背面側の面と胴縁部材２２の背面側の面とは面一に形成され、胴縁部材３２の正面側の面と胴縁部材２８の正面側の面とは面一に形成されている。この胴縁部材３２は、胴縁部材３０と平行に設けられ、その長さは、胴縁部材３０の長さと同一に形成されている。
【００４９】
また、胴縁部材３４ａは、胴縁部材３０、３２と平行に設けられ、胴縁部材２２と胴縁部材２４間に設けられている。すなわち、胴縁部材３４ａは、胴縁部材２２と胴縁部材２４間の間隔の長さに形成され、胴縁部材３４ａの背面側の端部は、胴縁部材２２の正面側の面に接して設けられ、胴縁部材３４ａの正面側の端部は、胴縁部材２４の背面側の面に接して設けられている。また、胴縁部材３４ａは、胴縁部材３０と胴縁部材３２間の位置に設けられ、胴縁部材３０及び胴縁部材３２から等距離の位置に設けられている。
【００５０】
また、胴縁部材３４ｂは、胴縁部材３０、３２と平行に設けられ、胴縁部材２４と胴縁部材２６間に設けられている。すなわち、胴縁部材３４ｂは、胴縁部材２４と胴縁部材２６間の間隔の長さに形成され、胴縁部材３４ｂの背面側の端部は、胴縁部材２４の正面側の面に接して設けられ、胴縁部材３４ｂの正面側の端部は、胴縁部材２６の背面側の面に接して設けられている。また、胴縁部材３４ｂは、胴縁部材３０と胴縁部材３２間の位置に設けられ、胴縁部材３０及び胴縁部材３２から等距離の位置に設けられている。
【００５１】
また、胴縁部材３４ｃは、胴縁部材３０、３２と平行に設けられ、胴縁部材２６と胴縁部材２８間に設けられている。すなわち、胴縁部材３４ｃは、胴縁部材２６と胴縁部材２８間の間隔の長さに形成され、胴縁部材３４ｃの背面側の端部は、胴縁部材２６の正面側の面に接して設けられ、胴縁部材３４ｃの正面側の端部は、胴縁部材２８の背面側の面に接して設けられている。また、胴縁部材３４ｃは、胴縁部材３０と胴縁部材３２間の位置に設けられ、胴縁部材３０及び胴縁部材３２から等距離の位置に設けられている。
【００５２】
胴縁部材３４ａと胴縁部材３４ｂと胴縁部材３４ｃとは左右方向において同じ位置に設けられ、直線状に配設されている。
【００５３】
胴縁２０を構成する上記各胴縁部材２２、２４、２６、２８、３０、３２、３４ａ、３４ｂ、３４ｃ（以下「胴縁部材２２等」とする）は、野地板１０に接着剤により接着して固定されている。
【００５４】
また、胴縁部材２２等の横断面形状（凹部４０が設けられていない位置の断面形状）は、方形状であり、具体的には、水平方向の幅Ｓ２１は、高さ方向の幅Ｓ２２よりも大きく形成されている。
【００５５】
また、胴縁部材２２等には凹部４０が形成されているが、凹部４０は、一定の間隔ごとに設けられ、各凹部４０の形状は、胴縁部材２２等の水平の幅方向（図３におけるＹ１−Ｙ２方向）に胴縁部材２２等の一方の端部から他方の端部にまで形成され（つまり、凹部４０は、胴縁部材の長手方向の両側面を連通している）、その上面側（Ｚ２側）から底面側（Ｚ１側）にいくに従い、凹部の幅（Ｘ１−Ｘ２方向の幅）が小さくなるように形成されている。すなわち、凹部４０の内底面の縦断面形状は、円弧又は楕円弧形状に形成され、凹部４０の縦断面形状は、水平の幅方向において同大同形状に形成されている。凹部４０が上記のように形成されていることにより、胴縁部材２２等の凹部４０の形成側の面に野地板１０が設けられるが、胴縁部材２２等の一方の側面方向（Ｙ１方向とＹ２方向の一方）から他方の側面方向（Ｙ１方向とＹ２方向の他方）に通気可能となっている。また、胴縁部材２２等における各凹部４０は、同じ構成（つまり、同大同形状）となっている。
【００５６】
なお、胴縁部材２２、２４、２６、２８においては、凹部４０は左右方向（長辺方向）に同じ位置に形成され、胴縁部材３０、３２、３４ａ〜３４ｃにおいては、凹部４０は前後方向（短辺の方向）に同じ位置に形成されている。
【００５７】
また、凹部４０は、縦方向に隣接した２つの屋根用パネル５において、左右方向に垂木間のピッチ長さ分の１又は複数分ずらしても、２つの屋根用パネル５において、凹部４０の少なくとも一部が対向するように形成されている。つまり、縦方向に隣接した２つの屋根用パネル５において、左右方向に垂木間のピッチ長さ分の１又は複数分ずらしても、互いに対応する凹部４０において一方の凹部４０における他方の凹部４０側の領域の少なくとも一部が他方の凹部４０における一方の凹部４０側の領域と対向している。つまり、正面視において、凹部４０の領域の少なくとも一部同士が重なり合っている。
【００５８】
すなわち、胴縁部材２２、２４、２６、２８において、左右方向の両端に位置する凹部４０から胴縁部材２０の左右方向の端部（距離が短い方の端部）までの長さＳ２５は、隣接する凹部４０間の長さＳ２３の半分よりも若干長く形成されているので、縦方向に２つの屋根用パネル５を隣接させた場合に、左右方向にずれた位置で隣接させると、凹部４０の位置が若干ずれることになるが、左右方向に垂木間のピッチ長さ分の１又は複数分ずらしても、２つの屋根用パネル５において、凹部４０の少なくとも一部が対向するように形成されている。
【００５９】
また、各胴縁部材における隣接する凹部４０間の長さＳ２３は、凹部４０の胴縁部材の長手方向の長さＳ２４よりも長く形成されている。
【００６０】
また、胴縁２０を構成する各胴縁部材の接続位置は、凹部４０が設けられていない位置であり、例えば、胴縁部材２２、２４、２６、２８と胴縁部材３０、３２の接続位置は、凹部４０が設けられていない位置であり、また、胴縁部材３４ａの胴縁部材２２、２４に対する接続位置や胴縁部材３４ｂの胴縁部材２４、２６に対する接続位置や胴縁部材３４ｃの胴縁部材２６、２８に対する接続位置は、凹部４０が設けられていない位置となっている。これにより、凹部４０による通気の障害となることがない。
【００６１】
なお、胴縁２０は、少なくとも胴縁部材２２、２８、３０、３２により枠状に形成されているといえる。また、胴縁部材２２、２４、２６、２８は、上記第１胴縁部材に当たり、胴縁部材３０、３２、３４ａ、３４ｂ、３４ｃは、上記第２胴縁部材に当たる。また、胴縁部材２４、２６は、上記内側第１胴縁部材に当たり、胴縁部材３４ａ、３４ｂ、３４ｃは、上記内側第２胴縁部材に当たる。
【００６２】
また、遮熱材５０は、胴縁２０の野地板１０とは反対側に設けられ、全体に略板状（略シート状としてもよい）を呈している。この遮熱材５０は、一対のシート状のアルミニウム層５２、６２間に複数の空気袋（樹脂製空気袋）６４が設けられたものであり、アルミニウム層５２とポリエチレン層５４とバブル層５６とポリエチレン層６０とアルミニウム層６２とを有している。
【００６３】
すなわち、アルミニウム層５２は、シート状のアルミニウムにより形成されている。また、ポリエチレン層５４は、アルミニウム層５２の上面に接着して形成され、シート状のポリエチレンにより形成されている。また、バブル層５６は、ポリエチレン層５４の上面に接着して形成され、ポリエチレン製であり、所定の間隔で円柱状の凸部５８を有している。つまり、バブル層５６は、所定の間隔で円形の開口部が形成されたベース部５７と、該ベース部５７の開口部の位置に設けられた凸部５８とを有し、凸部５８は、円筒状の筒状部５８ａと筒状部５８ａの上端を被覆する上面部５８ｂとからなる形状を有している。この凸部５８の下面は、ポリエチレン層５４により被覆されるので、このポリエチレン層５４と凸部５８により空気袋６４が形成される。
【００６４】
また、ポリエチレン層６０は、バブル層５６の上面に接着して形成され（つまり、凸部５８の上面に接着している）、シート状のポリエチレンにより形成されている。また、アルミニウム層６２は、シート状のアルミニウムにより形成され、ポリエチレン層６０の上面に接着して形成されている。遮熱材５０における上下方向に隣接する部材は、熱溶着により接着されている。
【００６５】
遮熱材５０の外形は、胴縁２０の外形に合わせて形成されている。すなわち、遮熱材５０の正面側の端部は胴縁部材２８の正面側の面と面一であり、遮熱材５０の背面側の端部は胴縁部材２２の背面側の面と面一であり、遮熱材５０の左側面側の端部は胴縁部材３０の左側面側の面と面一であり、遮熱材５０の右側面側の端部は胴縁部材３２の右側面側の面と面一となっている。
【００６６】
遮熱材５０は、上記のように構成されているので、遮熱材５０の一方の面と他方の面とで断熱を行なうことができ、アルミニウム層５２、６２により輻射熱が反射され、また、空気袋６２によっても断熱が行われる。
【００６７】
なお、遮熱材５０は上記のように構成されているので、全体の剛性は低いものであるといえる。この遮熱材５０は、胴縁２０に対して、接着剤又はタッカーにより固着されている。
【００６８】
なお、屋根用パネル５の長辺の長さは、平行に設けられた複数の垂木において隣接する垂木間のピッチの４倍の長さに形成されている。
【００６９】
上記構成の屋根用パネル５の使用状態について説明する。屋根用パネル５は、垂木の奥側に施工して使用する。すなわち、図５に示すように、垂木５００は、棟木（むねぎ）５２２と軒桁（のきげた）５２４間に互いに平行に設けられるが、この垂木５００の上面に施工する。
【００７０】
屋根用パネル５の施工に際しては、野地板１０を屋外側とし遮熱材５０を屋内側とし、屋根用パネル５の長辺を垂木５００に対して直角方向として施工し、垂木５００には、野地板１０側から釘を垂木５００に対して打ち付けることにより垂木５００に固定する。つまり、胴縁２０を構成する胴縁部材２２、２４、２６、２８が垂木５００に対して直角方向に施工される。また、屋根用パネル５において釘を打つ位置は、胴縁２０を構成する各胴縁部材の位置であり、垂木５００に対して直角方向の胴縁部材２２、２４、２６、２８は垂木５００と交差するので、胴縁部材２２、２４、２６、２８における垂木５００の位置に釘を打ち付ければよい。なお、垂木５００と平行となる胴縁部材３０、３２、３４ａ〜３４ｃが垂木５００の上面にある場合には、これらの胴縁部材３０、３２、３４ａ〜３４ｃにも釘を打ち付けることができる。
【００７１】
なお、実際には、図５、図６に示すように、屋根用パネル５の左右端部を垂木５００の幅方向（左右方向）の中央に位置するように配置して、野地板１０の側から垂木５００に対して釘で打ち付ける。
【００７２】
なお、隣接する屋根用パネル５の施工に際しては、横方向に隣接する２つの屋根用パネル５については、胴縁部材３０の外面（左側面）と胴縁部材３２の外面（右側面）とを接するように配置して施工し、縦方向に隣接する（「上下方向に隣接する」としてもよい。他においても同じ）２つの屋根用パネル５については、胴縁部材２８の外面（正面）と胴縁部材２２の外面（背面）とを接するように配置して施工する。すると、野地板１０の正面側の辺部１０Ａと、正面側に隣接する屋根用パネル５の野地板１０の背面側の辺部１０Ｂとは互いに当接し、同様に、遮熱材５０の正面側の辺部と、正面側に隣接する屋根用パネル５の遮熱材５０の背面側の辺部とは互いに当接する。
【００７３】
なお、野地板１０と遮熱材５０の間の空気層においては、太陽熱により屋根用パネル５が加熱されることにより上昇気流が発生するが、胴縁部材２２等（特に、垂木５００に対して直角に設けられる胴縁部材２２、２４、２６、２８）には、凹部４０が形成されているので、凹部４０を介して通気させることができる。
【００７４】
なお、凹部４０は、縦方向に隣接した２つの屋根用パネル５において、左右方向に垂木間のピッチ長さ分の１又は複数分ずらしても、２つの屋根用パネル５において、凹部４０の少なくとも一部が対向するように形成されているので、縦方向に隣接する屋根用パネル５同士の通気に支障を来すことがない。つまり、屋根用パネル５の長辺側同士が接した状態で２つの屋根用パネル５を隣接させた際に、屋根用パネル５の長辺の長さの２分の１の長さだけずらした隣接した場合及び屋根用パネル５の長辺の長さの４分の１の長さだけずらした隣接した場合に、２つの屋根用パネル５における互いに対応する凹部４０において一方の凹部４０における他方の凹部４０側の領域の少なくとも一部が他方の凹部４０における一方の凹部側の領域と対向するので、縦方向に隣接する屋根用パネル５同士の空気層の通気に支障を来すことがない。
【００７５】
すなわち、図７に示すように、縦方向に隣接して施工される屋根用パネル５−Ａと屋根用パネル５−Ｂとが垂木５００間のピッチ長さの２つ分ずれて施工された場合（つまり、図７の例では、屋根用パネル５−Ｂの左端は、屋根用パネル５−Ａの左右方向の中間位置にある）には、屋根用パネル５−Ｂの凹部４０が屋根用パネル５−Ａの凹部４０よりも若干右側にずれるが、互いに対応する凹部４０において一方の凹部４０における他方の凹部４０側の領域の少なくとも一部が他方の凹部４０における一方の凹部４０側の領域と対向しているので、屋根用パネル５−Ａと屋根用パネル５−Ｂ間の通気に支障を来すことがない。
【００７６】
また、図８に示すように、縦方向に隣接して施工される屋根用パネル５−Ａと屋根用パネル５−Ｂとが垂木５００間のピッチ長さの１つ分ずれて施工された場合（つまり、図８の例では、屋根用パネル５−Ｂの左端は、屋根用パネル５−Ａの左端から屋根用パネル５−Ａの左右方向の長さの４分の１の長さ（＝Ｔ１０）の位置にある）には、屋根用パネル５−Ｂの凹部４０が屋根用パネル５−Ａの凹部４０よりも若干右側にずれるが、互いに対応する凹部４０において一方の凹部４０における他方の凹部４０側の領域の少なくとも一部が他方の凹部４０における一方の凹部４０側の領域と対向しているので、屋根用パネル５−Ａと屋根用パネル５−Ｂ間の通気に支障を来すことがない。
【００７７】
さらに、図９に示すように、縦方向に隣接して施工される屋根用パネル５−Ａと屋根用パネル５−Ｂとが垂木５００間のピッチ長さの３つ分ずれて施工された場合（つまり、図９の例では、屋根用パネル５−Ｂの左端は、屋根用パネル５−Ａの右端から屋根用パネル５−Ａの左右方向の長さの４分の１の長さ（＝Ｔ１１）の位置にある）には、屋根用パネル５−Ｂの凹部４０が屋根用パネル５−Ａの凹部４０よりも若干右側にずれるが、互いに対応する凹部４０において一方の凹部４０における他方の凹部４０側の領域の少なくとも一部が他方の凹部４０における一方の凹部４０側の領域と対向しているので、屋根用パネル５−Ａと屋根用パネル５−Ｂ間の通気に支障を来すことがない。
【００７８】
なお、図５において、屋根用パネル５よりも小さい大きさの屋根用パネル５−１、５−２は、施工面積に応じて小さく形成されたものであり、この場合には、屋根用パネル５を切断することにより形成する。なお、屋根用パネル５の切断の方法としては、屋根用パネル５自体を切断する方法と、野地板１０と胴縁２０とが固着された部材と遮熱材５０とを予め別々に作成し、それぞれを必要な大きさに切断した後に、切断された遮熱材５０を切断された胴縁２０に対して固着してもよい。
【００７９】
また、施工対象の状況（例えば、施工対象の形状）によっては、屋根用パネル５の短辺を垂木５００に対して直角に施工することも可能である。すなわち、胴縁部材３０、３２、３４ａ〜３４ｃにも凹部４０が形成されているので、胴縁部材３０、３２、３４ａ〜３４ｃを垂木５００に対して直角に施工しても通気を行なうことができる。
【００８０】
以上のように、本実施例の屋根用パネル５においては、胴縁２０において、互いに平行に設けられた胴縁部材２２、２４、２６、２８に対して、胴縁部材３０、３２、３４ａ〜３４ｃが直角に設けられていて、特に、胴縁部材２２、３０、２８、３２により枠状に形成されているので、胴縁２０の剛性を高くすることができ、屋根用パネル５全体の剛性を高くすることができる。特に、本実施例における遮熱材５０は剛性が低いものであるが、胴縁２０の剛性が高いので、屋根用パネル５全体の剛性を十分高くすることができる。よって、屋根への施工に際して、屋根用パネル５を撓むことがなく、施工が容易となる。特に、垂木５００に対して直角の方向となる胴縁部材２２、２４、２６、２８が設けられているので、垂木の上に配置する際に、垂木の方向と直角の方向に撓むことがなく、垂木５００の上に容易に屋根用パネルを配置することができる。
【００８１】
また、本実施例の屋根用パネル５においては、垂木５００に対して直角の方向となる胴縁部材２２、２４、２６、２８が設けられていて、これらも垂木５００に固定されるので、施工後の屋根用パネル５の強度も十分確保することができる。特に、屋根用パネル５の長辺に沿って胴縁部材２２、２８が設けられていて、これらが垂木５００に固定されるので、屋根用パネル５が垂木５００から長辺の側から剥がれてしまうおそれがない。
【００８２】
また、胴縁部材が垂木５００に対して直角方向に施工されても各胴縁部材には凹部４０が設けられているので、野地板１０と遮熱材５０間の空間の通気に支障はない。
【００８３】
また、屋根用パネル５においては、野地板１０が胴縁２０に対して正面側にずれて形成されているので、縦方向に屋根用パネル５を隣接して施工した場合に、野地板１０の正面側の下面が正面側に隣接する屋根用パネル５の胴縁部材２２の上面に接した状態で、野地板１０の正面側の端部が正面側に隣接する屋根用パネル５の野地板１０の背面側に当接するので、屋根用パネル５の内側の密閉度を高くすることができる。
【００８４】
また、屋根用パネル５には、長辺に平行に形成された胴縁部材２２、２４、２６、２８と、長辺と直角の短辺に平行に形成された胴縁部材３０、３２、３４ａ〜３４ｃとが設けられ、各胴縁部材には凹部４０が設けられているので、屋根用パネル５の長辺を垂木５００に直角にして施工する場合と該長辺を垂木５００に平行にして施工する場合のいずれの場合にも施工可能であり、施工対象の状況に応じて臨機応変に施工することができる。
【００８５】
また、屋根用パネル５においては、胴縁部材２０が胴縁部材２２、２８、３０、３２により枠状に形成されているので、屋根用パネル５の施工に際して、隣接する屋根用パネル５における胴縁２０を接するように並べて施工すればよいので、施工が容易である。
【００８６】
また、胴縁部材２２と胴縁部材２８間には、胴縁部材２４、２６が設けられ、また、胴縁部材３０と胴縁部材３２間には、胴縁部材３４ａ、３４ｂ、３４ｃが設けられているので、胴縁２０の強度をより向上させることができ、結果として、屋根用パネルの強度をより向上させることができる。
【００８７】
また、屋根用パネル５によれば、複数の屋根用パネル５を屋根に施工していくことにより遮熱材を屋根に施工していくことができるので、図１３に示すように、遮熱材の下面に合板を施工する必要がない。また、屋根用パネル５を垂木の上に施工することにより、遮熱材５０と胴縁２０と野地板１０とを同時に施工することができるので、それぞれを別途に施工する手間が不要となる。また、遮熱材を施工した後に胴縁を施工することがないので、施工者が落下する危険もない。
【実施例２】
【００８８】
次に、実施例２の屋根用パネルについて説明する。実施例２の屋根用パネル１０５は、図１０に示すように構成され、実施例１の屋根用パネル５と略同様の構成であるが、胴縁２０において、正面側の胴縁部材が、複数の胴縁部材により間隔を介して形成されている点が異なる。
【００８９】
すなわち、野地板１０の正面側の辺部１０Ａに沿って、胴縁部材１２８ａと胴縁部材１２８ｂと胴縁部材１２８ｃとが互いに間隔を介して直線状に設けられている。すなわち、実施例１における胴縁部材２８の代わりに、胴縁部材１２８ａ、１２８ｂ、１２８ｃが設けられている。
【００９０】
ここで、胴縁部材１２８ｂは、胴縁部材３４ｃの正面側の端部に接して設けられ、胴縁部材３４ｃが胴縁部材１２８ｂの長さ方向の中央位置に接するように設けられている。
【００９１】
また、胴縁部材１２８ａは、胴縁部材１２８ｂと胴縁部材３０との間の位置に設けられ、胴縁部材１２８ａと胴縁部材１２８ｂ間には隙間が設けられ、さらに、胴縁部材１２８ａと胴縁部材３０間にも隙間が設けられている。
【００９２】
胴縁部材１２８ｃは胴縁部材１２８ａと対称に設けられている。すなわち、胴縁部材１２８ｃは、胴縁部材１２８ｂと胴縁部材３２との間の位置に設けられ、胴縁部材１２８ｃと胴縁部材１２８ｂ間には隙間が設けられ、さらに、胴縁部材１２８ｃと胴縁部材３２間にも隙間が設けられている。
【００９３】
胴縁部材１２８ａ、１２８ｂ、１２８ｃの前後方向（正面と背面間の方向）における形成位置は、実施例１の胴縁部材２８と同様であり、胴縁部材１２８ａ〜１２８ｃの正面側の面は、野地板１０の正面側の端部よりも背面側にずれた位置となっていて、胴縁部材１２８ａ〜１２８ｃの正面側の端部と野地板１０の正面側の端部（辺部）間には、間隔Ｓ２（＝Ｓ１）が形成されている。
【００９４】
また、胴縁部材１２８ａの野地板１０側には、２つの凹部４０が形成され、胴縁部材１２８ｂの野地板１０側には、２つの凹部４０が形成され、胴縁部材１２８ｃの野地板１０側には、２つの凹部４０が形成されている。ここで、胴縁部材１２８ａに設けられた２つの凹部４０は、実施例１の屋根用パネル５の胴縁部材２８における左から３番目と４番目の凹部４０の位置に設けられ、また、胴縁部材１２８ｂに設けられた２つの凹部４０は、実施例１の屋根用パネル５の胴縁部材２８における左から６番目と７番目の凹部４０の位置に設けられ、また、胴縁部材１２８ｃに設けられた２つの凹部４０は、実施例１の屋根用パネル５の胴縁部材２８における左から９番目と１０番目の凹部４０の位置に設けられている。これにより、屋根用パネル（第１屋根用パネル）１０５の正面側に屋根用パネル（第２屋根用パネル）１０５を隣接して施工した場合に、左右方向にずれていない場合には、屋根用パネル（第１屋根用パネル）１０５の胴縁部材１２８ａ、１２８ｂ、１２８ｃに設けられた凹部４０は、屋根用パネル（第２屋根用パネル）１０５の胴縁部材２２に設けられた凹部４０と対応することになる。
【００９５】
なお、胴縁部材３０と胴縁部材１２８ａ間の隙間２９ａの長さＳ３１と、胴縁部材１２８ａと胴縁部材１２８ｂ間の隙間２９ｂの長さＳ３２と、胴縁部材１２８ｂと胴縁部材１２８ｃ間の隙間２９ｃの長さＳ３３と、胴縁部材１２８ｃと胴縁部材３２間の隙間２９ｄの長さＳ３４は、いずれも胴縁部材２２における隣接する凹部４０間の長さＳ３５よりも長く形成され、屋根用パネル１０５の正面側に隣接する屋根用パネル１０５が左右方向にいずれの位置にずれても、凹部４０の少なくとも一部が上記各隙間（隙間２９ａと、隙間２９ｂと、隙間２９ｃと、隙間２９ｄ）に臨むようになっている。これにより、屋根用パネル１０５の正面側に隣接する屋根用パネル１０５が左右方向にいずれの位置にずれても、野地板１０と遮熱材５０間の空間を縦方向に隣接する屋根用パネル１０５間で通気させることができる。
【００９６】
なお、屋根用パネル１０５は、少なくとも胴縁部材２２、１２８ａ、１２８ｂ、１２８ｃ、３０、３２により略枠状に形成されているといえる。
【００９７】
胴縁部材１２８ａ、１２８ｂ、１２８ｃにおける横断面の形状及び大きさや凹部４０の形状及び大きさは、他の胴縁部材と同様である。また、胴縁部材１２８a、１２８ｂ、１２８ｃにおいても、隣接する凹部４０間の長さや凹部４０の胴縁部材の長手方向の長さは、上記と同様である。つまり、隣接する凹部４０間の長さは、長さＳ２３と同じであり、凹部４０の胴縁部材の長手方向の長さは、長さＳ２４と同じである。
【００９８】
胴縁部材１２８ａ、１２８ｂ、１２８ｃは、他の胴縁部材と同様に、野地板１０に接着剤により接着して固着されている。また、遮熱材５０は、他の胴縁部材に対してと同様に、胴縁部材１２８ａ、１２８ｂ、１２８ｃに対して、接着剤又はタッカーにより固着されている。
【００９９】
なお、実施例２の屋根用パネル１０５においては、胴縁部材１２８ａ、１２８ｂ、１２８ｃの構成以外の構成は実施例１と同様の構成であるので詳しい説明を省略する。
【０１００】
実施例２の屋根用パネル１０５の使用状態も実施例１の屋根用パネル５と同様であり、野地板１０を屋外側とし遮熱材５０を屋内側とし、屋根用パネル１０５の長辺を垂木５００に対して直角方向として施工し（胴縁部材２２、２４、２６、１２８ａ〜１２８ｃを垂木５００に対して直角方向に施工する）、特に、隣接する屋根用パネル１０５の施工に際しては、横方向に隣接する２つの屋根用パネル１０５については、胴縁部材３０の外面（左側面）と胴縁部材３２の外面（右側面）とを接するように配置して施工し、縦方向に隣接する２つの屋根用パネル１０５については、胴縁部材２８の外面（正面）と胴縁部材２２の外面（背面）とを接するように配置して施工する。すると、野地板１０の正面側の辺部１０Ａと、正面側に隣接する屋根用パネル１０５の野地板１０の背面側の辺部１０Ｂとは互いに当接し、同様に、遮熱材５０の正面側の辺部と、正面側に隣接する屋根用パネル１０５の遮熱材５０の背面側の辺部とは互いに当接する。
【０１０１】
なお、屋根用パネル１０５においては、隙間２９ａ、２９ｂ、２９ｃ、２９ｄが設けられているので、縦方向に隣接する２つの屋根用パネル１０５が横方向にずれて施工された場合でも、縦方向に隣接する屋根用パネル１０５間の通気に支障を来すことがない。特に、凹部４０の位置が対応しない場合でも（特に、互いに対応する凹部４０において一方の凹部４０における他方の凹部４０側の領域の少なくとも一部が他方の凹部４０における一方の凹部４０側の領域と対向しない場合でも）、凹部４０の少なくとも一部が上記各隙間（隙間２９ａと、隙間２９ｂと、隙間２９ｃと、隙間２９ｄ）に臨むので、横方向に任意の位置にずれて施工されても、野地板１０と遮熱材５０間の空気層（空間）を縦方向に隣接する屋根用パネル１０５間で通気させることができる。
【０１０２】
なお、当然、縦方向に隣接した２つの屋根用パネル１０５において、左右方向に垂木間のピッチ長さ分の１又は複数分ずらしても、隣接する屋根用パネル１０５間で通気に支障を来すことがない。
【０１０３】
また、施工対象の状況（例えば、施工対象の形状）によっては、屋根用パネル１０５の短辺を垂木５００に対して直角に施工することも可能である。
【０１０４】
以上のように、本実施例の屋根用パネル１０５においては、胴縁２０において、互いに平行に設けられた胴縁部材２２、２４、２６、１２８ａ〜１２８ｃに対して、胴縁部材３０、３２、３４ａ〜３４ｃが直角に設けられていて、特に、胴縁部材２２、３０、１２８ａ〜１２８ｃ、３２により枠状に形成されているので、胴縁２０の剛性を高くすることができ、屋根用パネル１０５全体の剛性を高くすることができる。特に、本実施例における遮熱材５０は剛性が低いものであるが、胴縁２０の剛性が高いので、屋根用パネル１０５全体の剛性を十分高くすることができる。よって、屋根への施工に際して、屋根用パネル１０５を撓むことがなく、施工が容易となる。特に、垂木５００に対して直角の方向となる胴縁部材２２、２４、２６、１２８ａ〜１２８ｃが設けられているので、垂木の上に配置する際に、垂木の方向と直角の方向に撓むことがなく、垂木５００の上に容易に屋根用パネルを配置することができる。
【０１０５】
また、本実施例の屋根用パネル１０５においては、垂木５００に対して直角の方向となる胴縁部材２２、２４、２６、１２８ａ〜１２８ｃが設けられていて、これらも垂木５００に固定されるので、施工後の屋根用パネル１０５の強度も十分確保することができる。特に、屋根用パネル１０５の長辺に沿って胴縁部材２２、１２８ａ〜１２８ｃが設けられていて、これらが垂木５００に固定されるので、屋根用パネル１０５が垂木５００から長辺の側から剥がれてしまうおそれがない。
【０１０６】
また、胴縁部材が垂木５００に対して直角方向に施工されても各胴縁部材には凹部４０が設けられているので、野地板１０と遮熱材５０間の空間の通気に支障はない。特に、屋根用パネル１０５においては、隙間２９ａ、２９ｂ、２９ｃ、２９ｄが設けられているので、縦方向に隣接する２つの屋根用パネル１０５が横方向にずれて施工された場合に、凹部４０の位置が対応しない場合でも、凹部４０の少なくとも一部が上記各隙間（隙間２９ａと、隙間２９ｂと、隙間２９ｃと、隙間２９ｄ）に臨むので、縦方向に隣接する屋根用パネル１０５において、左右方向の任意の位置にずれても、野地板１０と遮熱材５０間の空間を縦方向に隣接する屋根用パネル１０５間で通気させることができ、屋根用パネル１０５の施工が極めて容易となる。
【０１０７】
また、屋根用パネル１０５においては、野地板１０が胴縁２０に対して正面側にずれて形成されているので、縦方向に屋根用パネル１０５を隣接して施工した場合に、野地板１０の正面側の下面が正面側に隣接する屋根用パネル１０５の胴縁部材２２の上面に接した状態で、野地板１０の正面側の端部が正面側に隣接する屋根用パネル１０５の野地板１０の背面側に当接するので、屋根用パネル１０５の内側の密閉度を高くすることができる。
【０１０８】
また、屋根用パネル１０５には、長辺に平行に形成された胴縁部材２２、２４、２６、１２８ａ〜１２８ｃと、長辺と直角の短辺に平行に形成された胴縁部材３０、３２、３４ａ〜３４ｃとが設けられ、各胴縁部材には凹部４０が設けられているので、屋根用パネル１０５の長辺を垂木５００に直角にして施工する場合と該長辺を垂木５００に平行にして施工する場合のいずれの場合にも施工可能であり、施工対象の状況に応じて臨機応変に施工することができる。
【０１０９】
また、屋根用パネル１０５においては、胴縁部材２０が胴縁部材２２、１２８ａ〜１２８ｃ、３０、３２により枠状に形成されているので、屋根用パネル１０５の施工に際して、隣接する屋根用パネル１０５における胴縁２０を接するように並べて施工すればよいので、施工が容易である。
【０１１０】
また、胴縁部材２２と胴縁部材１２８ａ〜１２８ｃ間には、胴縁部材２４、２６が設けられ、また、胴縁部材３０と胴縁部材３２間には、胴縁部材３４ａ、３４ｂ、３４ｃが設けられているので、胴縁２０の強度をより向上させることができ、結果として、屋根用パネルの強度をより向上させることができる。
【０１１１】
また、屋根用パネル１０５によれば、複数の屋根用パネル１０５を屋根に施工していくことにより遮熱材を屋根に施工していくことができるので、図１３に示すように、遮熱材の下面に合板を施工する必要がない。また、屋根用パネル１０５を垂木の上に施工することにより、遮熱材５０と胴縁２０と野地板１０とを同時に施工することができるので、それぞれを別途に施工する手間が不要となる。また、遮熱材を施工した後に胴縁を施工することがないので、施工者が落下する危険もない。
【０１１２】
なお、上記実施例２において、胴縁部材２２と胴縁部材１２８ａ、１２８ｂ、１２８ｃとが逆に設けられていてもよい。すなわち、前後方向において、胴縁部材２２の位置に胴縁部材１２８ａ、１２８ｂ、１２８ｃが設けられ、胴縁部材１２８ａ、１２８ｂ、１２８ｃの位置に胴縁部材２２が設けられた構成としてもよい。
【実施例３】
【０１１３】
次に、実施例３の屋根用パネルについて説明する。実施例３の屋根用パネル２０５は、図１１に示すように構成され、実施例１の屋根用パネル５と略同様の構成であるが、胴縁２０において、正面側の胴縁部材については、実施例１の胴縁部材２８の代わりに、胴縁部材２２８ａ、２２８ｂが設けられ、これらは実施例１の胴縁部材２８に比べて背面側にずれた位置に形成され、また、胴縁部材３４ｃの正面側の端部が、胴縁部材３０、３２の正面側の位置まで伸びて形成されている点が異なる。
【０１１４】
すなわち、胴縁部材３４ｃは、実施例１における胴縁部材３４ｃと略同様の構成であるが、胴縁部材３４ｃの正面側の端部は、前後方向において、胴縁部材３０、３２の正面側の端部と同じ位置に形成されている。
【０１１５】
また、胴縁部材２２８ａは、胴縁部材３０と胴縁部材３４ｃ間に設けられ、一方の端部は胴縁部材３０に接し、他方の端部は胴縁部材３４ｃに接している。胴縁部材２２８ａには、所定間隔ごとに凹部４０が形成され、具体的には６つの凹部４０が形成されている。胴縁部材２２８ａにおける各凹部４０は、左右方向において、胴縁部材２２、２４、２６における左側の６つの凹部４０に対応した位置に形成されている。
【０１１６】
また、胴縁部材２２８ｂは、胴縁部材３２と胴縁部材３４ｃ間に設けられ、一方の端部は胴縁部材３２に接し、他方の端部は胴縁部材３４ｃに接している。胴縁部材２２８ｂには、所定間隔ごとに凹部４０が形成され、具体的には６つの凹部４０が形成されている。胴縁部材２２８ｂにおける各凹部４０は、左右方向において、胴縁部材２２、２４、２６における右側の６つの凹部４０に対応した位置に形成されている。
【０１１７】
また、胴縁部材２２８ａ、２２８ｂの正面側の面は、胴縁部材３０、３２、３４ｃの正面側の面や遮熱材５０の正面側の端部に対して、背面側にずれて形成されている。具体的には、胴縁部材２２８ａ、２２８ｂの前後方向の幅分だけ背面側にずれた位置に設けられている。つまり、胴縁部材２２８ａ、２２８ｂの正面側の面と遮熱材５０の正面側の端部との間に間隔が形成される。
【０１１８】
なお、この実施例３において、胴縁部材３０、３２の長さが胴縁２０の短辺方向の最大長さとなる。
【０１１９】
胴縁部材２２８ａ、２２８ｂ、３４ｃにおける横断面の形状及び大きさや凹部４０の形状及び大きさは、他の胴縁部材と同様である。また、胴縁部材２２８a、２２８ｂ、３４ｃにおいても、隣接する凹部４０間の長さや凹部４０の胴縁部材の長手方向の長さは、上記と同様である。つまり、隣接する凹部４０間の長さは、長さＳ２３と同じであり、凹部４０の胴縁部材の長手方向の長さは、長さＳ２４と同じである。
【０１２０】
胴縁部材２２８ａ、２２８ｂ、３４ｃが、他の胴縁部材と同様に、野地板１０に接着剤により接着して固着されている。また、遮熱材５０は、他の胴縁部材に対してと同様に、胴縁部材２２８ａ、２２８ｂ、３４ｃに対して、接着剤又はタッカーにより固着されている。
【０１２１】
なお、実施例３の屋根用パネル２０５においては、胴縁部材２２８ａ、２２８ｂ、３４ｃの構成以外の構成は実施例１と同様の構成であるので詳しい説明を省略する。
【０１２２】
実施例３の屋根用パネル２０５の使用状態も実施例１の屋根用パネル５と略同様であり、野地板１０を屋外側とし遮熱材５０を屋内側とし、屋根用パネル２０５の長辺を垂木５００に対して直角方向として施工し（胴縁部材２２、２４、２６、２２８ａ、２２８ｂを垂木５００に対して直角方向に施工する）、特に、隣接する屋根用パネル２０５の施工に際しては、横方向に隣接する２つの屋根用パネル２０５については、胴縁部材３０の外面（左側面）と胴縁部材３２の外面（右側面）とを接するように配置して施工するが、縦方向に隣接する２つの屋根用パネル２０５については、胴縁部材３０、３２、３４ｃの正面側の面を胴縁部材２２の背面側の面に当接させて施工する。すると、野地板１０の正面側の辺部１０Ａと、正面側に隣接する屋根用パネル２０５の野地板１０の背面側の辺部１０Ｂとは互いに当接し、同様に、遮熱材５０の正面側の辺部と、正面側に隣接する屋根用パネル２０５の遮熱材５０の背面側の辺部とは互いに当接する。これにより、縦方向に隣接する２つの屋根用パネル２０５において、一方の屋根用パネル（第１屋根用パネル）２０５の胴縁部材２２８ａ、２２８ｂと、他方の屋根用パネル（第２屋根用パネル）２０５の胴縁部材２２との間には、隙間が形成される。
【０１２３】
なお、屋根用パネル２０５においては、胴縁部材２２８ａ、２２８ｂは、胴縁部材３０、３２、３４ｃの正面側の面や遮熱材５０の正面側の端部に対して背面側にずれて形成されているので、縦方向に屋根用パネル２０５を隣接して施工した場合に、一方の屋根用パネル（第１屋根用パネル）２０５の胴縁部材２２８ａ、２２８ｂと、他方の屋根用パネル（第２屋根用パネル）２０５の胴縁部材２２との間には隙間が形成され、縦方向に隣接する２つの屋根用パネル２０５が横方向にずれて施工された場合でも、縦方向に隣接する屋根用パネル２０５間の通気に支障を来すことがない。特に、凹部４０の位置が対応しない場合でも（特に、互いに対応する凹部４０において一方の凹部４０における他方の凹部４０側の領域の少なくとも一部が他方の凹部４０における一方の凹部４０側の領域と対向しない場合でも）、胴縁部材２２８ａ、２２８ｂと他方の屋根用パネル２０５の胴縁部材２２間の隙間により通気を可能とすることができる。
【０１２４】
なお、当然、縦方向に隣接した２つの屋根用パネル２０５において、左右方向に垂木間のピッチ長さ分の１又は複数分ずらしても、隣接する屋根用パネル２０５間で通気に支障を来すことがない。
【０１２５】
また、施工対象の状況（例えば、施工対象の形状）によっては、屋根用パネル２０５の短辺を垂木５００に対して直角に施工することも可能である。
【０１２６】
以上のように、本実施例の屋根用パネル２０５においては、胴縁２０において、互いに平行に設けられた胴縁部材２２、２４、２６、２２８ａ、２２８ｂに対して、胴縁部材３０、３２、３４ａ〜３４ｃが直角に設けられていて、特に、胴縁部材２２、３０、２２８ａ、２２８ｂ、３２により枠状に形成されているので、胴縁２０の剛性を高くすることができ、屋根用パネル２０５全体の剛性を高くすることができる。特に、本実施例における遮熱材５０は剛性が低いものであるが、胴縁２０の剛性が高いので、屋根用パネル２０５全体の剛性を十分高くすることができる。よって、屋根への施工に際して、屋根用パネル２０５を撓むことがなく、施工が容易となる。特に、垂木５００に対して直角の方向となる胴縁部材２２、２４、２６、２２８ａ、２２８ｂが設けられているので、垂木の上に配置する際に、垂木の方向と直角の方向に撓むことがなく、垂木５００の上に容易に屋根用パネルを配置することができる。
【０１２７】
また、本実施例の屋根用パネル２０５においては、垂木５００に対して直角の方向となる胴縁部材２２、２４、２６、２２８ａ、２２８ｂが設けられていて、これらも垂木５００に固定されるので、施工後の屋根用パネル２０５の強度も十分確保することができる。特に、屋根用パネル２０５の長辺に沿って胴縁部材２２、２２８ａ、２２８ｂが設けられていて、これらが垂木５００に固定されるので、屋根用パネル２０５が垂木５００から長辺の側から剥がれてしまうおそれがない。
【０１２８】
また、胴縁部材が垂木５００に対して直角方向に施工されても各胴縁部材には凹部４０が設けられているので、野地板１０と遮熱材５０間の空間の通気に支障はない。特に、屋根用パネル２０５においては、胴縁部材２２８ａ、２２８ｂは、胴縁部材３０、３２、３４ｃの正面側の面や遮熱材５０の正面側の端部に対して背面側にずれて形成されているので、縦方向に屋根用パネル２０５を隣接して施工した場合に、一方の屋根用パネル（第１屋根用パネル）２０５の胴縁部材２２８ａ、２２８ｂと、他方の屋根用パネル（第２屋根用パネル）２０５の胴縁部材２２との間には隙間が形成され、縦方向に隣接する２つの屋根用パネル２０５が横方向にずれて施工された場合でも、縦方向に隣接する屋根用パネル２０５間の空気層の通気に支障を来すことがなく、屋根用パネル２０５の施工が極めて容易となる。
【０１２９】
また、屋根用パネル２０５においては、野地板１０が胴縁２０に対して正面側にずれて形成されているので、縦方向に屋根用パネル２０５を隣接して施工した場合に、野地板１０の正面側の下面が正面側に隣接する屋根用パネル２０５の胴縁部材２２の上面に接した状態で、野地板１０の正面側の端部が正面側に隣接する屋根用パネル２０５の野地板１０の背面側に当接するので、屋根用パネル２０５の内側の密閉度を高くすることができる。
【０１３０】
また、屋根用パネル２０５には、長辺に平行に形成された胴縁部材２２、２４、２６、２２８ａ、２２８ｂと、長辺と直角の短辺に平行に形成された胴縁部材３０、３２、３４ａ〜３４ｃとが設けられ、各胴縁部材には凹部４０が設けられているので、屋根用パネル２０５の長辺を垂木５００に直角にして施工する場合と該長辺を垂木５００に平行にして施工する場合のいずれの場合にも施工可能であり、施工対象の状況に応じて臨機応変に施工することができる。
【０１３１】
また、屋根用パネル２０５においては、胴縁部材２０が胴縁部材２２、２２８ａ、２２８ｂ、３０、３２により枠状に形成されているので、屋根用パネル２０５の施工に際して、隣接する屋根用パネル２０５における胴縁２０を接するように並べて施工すればよいので、施工が容易である。
【０１３２】
また、胴縁部材２２と胴縁部材２８間には、胴縁部材２４、２６が設けられ、また、胴縁部材３０と胴縁部材３２間には、胴縁部材３４ａ、３４ｂ、３４ｃが設けられているので、胴縁２０の強度をより向上させることができ、結果として、屋根用パネルの強度をより向上させることができる。
【０１３３】
また、屋根用パネル２０５によれば、複数の屋根用パネル２０５を屋根に施工していくことにより遮熱材を屋根に施工していくことができるので、図１３に示すように、遮熱材の下面に合板を施工する必要がない。また、屋根用パネル２０５を垂木の上に施工することにより、遮熱材５０と胴縁２０と野地板１０とを同時に施工することができるので、それぞれを別途に施工する手間が不要となる。また、遮熱材を施工した後に胴縁を施工することがないので、施工者が落下する危険もない。
【０１３４】
なお、上記実施例１〜３において、胴縁２０の左右方向の端部間の長さが胴縁２０の長辺方向の最大長さであり、野地板１０と遮熱材５０の長辺は該長辺方向の最大長さと同じである。また、実施例１〜３において、胴縁２０の胴縁部材３０、３２の長さが胴縁２０の短辺方向の最大長さであり、野地板１０と遮熱材５０の短辺は該短辺方向の最大長さと同じである。
【実施例４】
【０１３５】
次に、実施例４の屋根用パネルについて説明する。実施例４の屋根用パネル３０５は、図１２に示すように構成され、実施例１の屋根用パネル５と比較して、短辺方向の胴縁部材が設けられていない点が異なる。
【０１３６】
すなわち、胴縁部材２０は、屋根用パネル３０５の長辺に平行に設けられた胴縁部材２２、２４、２６、２８とを有している。
【０１３７】
胴縁部材２２、２４、２６、２８の構成は、実施例１における胴縁部材２２、２４、２６、２８と同様の構成であるが、左右方向の端部が、野地板１０や遮熱材５０の左右方向の端部にまで形成されている点が異なる。つまり、胴縁部材２２、２４、２６、２８の左側面側の端面は、野地板１０や遮熱材５０の左側面側の端部と面一に形成され、胴縁部材２２、２４、２６、２８の右側面側の端面は、野地板１０や遮熱材５０の右側面側の端部と面一に形成されている。
【０１３８】
また、胴縁部材２８の正面側の面は、遮熱材５０の正面側の端部に対して、背面側にずれて形成されている。具体的には、胴縁部材２８の前後方向の幅分だけ背面側にずれた位置に設けられている。
【０１３９】
胴縁部材２２、２４、２６、２８における横断面の形状及び大きさや凹部４０の形状及び大きさは、実施例１における胴縁部材と同様である。また、本実施例の胴縁部材２２、２４、２６、２８においても、隣接する凹部４０間の長さや凹部４０の胴縁部材の長手方向の長さは、上記と同様である。つまり、隣接する凹部４０間の長さは、長さＳ２３と同じであり、凹部４０の胴縁部材の長手方向の長さは、長さＳ２４と同じである。
【０１４０】
胴縁部材２２、２４、２６、２８は、野地板１０に接着剤により接着して固着されている。また、遮熱材５０は、胴縁部材２２、２４、２６、２８に対して、接着剤又はタッカーにより固着されている。
【０１４１】
なお、実施例４の屋根用パネル３０５においては、胴縁部材２０以外の構成は実施例１と同様の構成であるので詳しい説明を省略する。
【０１４２】
実施例４の屋根用パネル３０５の使用状態も実施例１の屋根用パネル５と略同様であり、野地板１０を屋外側とし遮熱材５０を屋内側とし、屋根用パネル３０５の長辺を垂木５００に対して直角方向として施工し（胴縁部材２２、２４、２６、２８を垂木５００に対して直角方向に施工する）、特に、隣接する屋根用パネル３０５の施工に際しては、横方向に隣接する２つの屋根用パネル３０５については、胴縁部材２２、２４、２６、２８の外面（左側面）と胴縁部材２２、２４、２６、２８の外面（右側面）とを接するように配置して施工し、縦方向に隣接する２つの屋根用パネル３０５については、野地板１０の正面側の面を野地板１０の背面側の面に当接させて施工する。すると、遮熱材５０の正面側の辺部と、正面側に隣接する屋根用パネル３０５の遮熱材５０の背面側の辺部とは互いに当接する。これにより、縦方向に隣接する２つの屋根用パネル３０５において、一方の屋根用パネル（第１屋根用パネル）３０５の胴縁部材２８と、他方の屋根用パネル（第２屋根用パネル）３０５の胴縁部材２２との間には、隙間が形成される。
【０１４３】
なお、屋根用パネル３０５においては、胴縁部材２８は遮熱材５０の正面側の端部に対して背面側にずれて形成されているので、縦方向に屋根用パネル３０５を隣接して施工した場合に、一方の屋根用パネル（第１屋根用パネル）３０５の胴縁部材２８と、他方の屋根用パネル（第２屋根用パネル）３０５の胴縁部材２２との間には隙間が形成され、縦方向に隣接する２つの屋根用パネル３０５が横方向にずれて施工された場合でも、縦方向に隣接する屋根用パネル３０５間の通気に支障を来すことがない。特に、凹部４０の位置が対応しない場合でも（特に、互いに対応する凹部４０において一方の凹部４０における他方の凹部４０側の領域の少なくとも一部が他方の凹部４０における一方の凹部４０側の領域と対向しない場合でも）、胴縁部材２８と他方の屋根用パネル３０５の胴縁部材２２間の隙間により通気を可能とすることができる。
【０１４４】
なお、当然、縦方向に隣接した２つの屋根用パネル３０５において、左右方向に垂木間のピッチ長さ分の１又は複数分ずらしても、隣接する屋根用パネル３０５間で通気に支障を来すことがない。
【０１４５】
以上のように、本実施例の屋根用パネル３０５においては、胴縁２０において、垂木５００に対して直角の方向となる胴縁部材２２、２４、２６、２８が設けられているので、屋根用パネル３０５を垂木の上に配置する際に、垂木の方向と直角の方向に撓むことがなく、垂木５００の上に容易に屋根用パネルを配置することができる。本実施例における遮熱材５０は剛性が低いものであるが、胴縁部材２２、２４、２６、２８が垂木５００に対して直角に設けられるので、屋根用パネル３０５を垂木の上に配置する際に、垂木の方向と直角の方向に撓むことがなく、垂木の上に容易に配置することができる。
【０１４６】
また、本実施例の屋根用パネル３０５においては、垂木５００に対して直角の方向となる胴縁部材２２、２４、２６、２８が設けられていて、これらが垂木５００に固定されるので、施工後の屋根用パネル３０５の強度も十分確保することができる。特に、屋根用パネル３０５の長辺に沿って胴縁部材２２、２８が設けられていて、これらが垂木５００に固定されるので、屋根用パネル３０５が垂木５００から長辺の側から剥がれてしまうおそれがない。なお、胴縁部材２２、２４、２６、２８が互いに平行に設けられているので、屋根用パネル３０５の短辺方向にも複数箇所（４本の胴縁部材が設けられているので、４つの箇所）で固定され、短辺方向にも垂木に対して十分強固に固定することができる。
【０１４７】
また、胴縁部材が垂木５００に対して直角方向に施工されても各胴縁部材には凹部４０が設けられているので、野地板１０と遮熱材５０間の空間の通気に支障はない。特に、屋根用パネル３０５においては、胴縁部材２８は、遮熱材５０の正面側の端部に対して背面側にずれて形成されているので、縦方向に屋根用パネル３０５を隣接して施工した場合に、一方の屋根用パネル（第１屋根用パネル）３０５の胴縁部材２８と、他方の屋根用パネル（第２屋根用パネル）３０５の胴縁部材２２との間には隙間が形成され、縦方向に隣接する２つの屋根用パネル３０５が横方向にずれて施工された場合でも、縦方向に隣接する屋根用パネル３０５間の通気に支障を来すことがなく、屋根用パネル３０５の施工が極めて容易となる。
【０１４８】
また、屋根用パネル３０５においては、野地板１０が胴縁部材２２に対して正面側にずれて形成されているので、縦方向に屋根用パネル３０５を隣接して施工した場合に、野地板１０の正面側の下面が正面側に隣接する屋根用パネル３０５の胴縁部材２２の上面に接した状態で、野地板１０の正面側の端部が正面側に隣接する屋根用パネル３０５の野地板１０の背面側に当接するので、屋根用パネル３０５の内側の密閉度を高くすることができる。
【０１４９】
また、胴縁部材２２と胴縁部材２８間には、胴縁部材２４、２６が設けられているので、胴縁２０の強度をより向上させることができ、結果として、屋根用パネルの強度をより向上させることができる。
【０１５０】
また、屋根用パネル３０５によれば、複数の屋根用パネル３０５を屋根に施工していくことにより遮熱材を屋根に施工していくことができるので、図１３に示すように、遮熱材の下面に合板を施工する必要がない。また、屋根用パネル３０５を垂木の上に施工することにより、遮熱材５０と胴縁２０と野地板１０とを同時に施工することができるので、それぞれを別途に施工する手間が不要となる。また、遮熱材を施工した後に胴縁を施工することがないので、施工者が落下する危険もない。
【０１５１】
なお、上記実施例４において、胴縁部材２２と胴縁部材２８との間に２つの胴縁部材２４、２６を設けるものとして説明したが、胴縁部材２２と胴縁部材２８との間に胴縁部材２２、２８と平行な１つの胴縁部材を設けるものとしてもよい。
【０１５２】
また、実施例２の構成において、正面側の胴縁部材１２８ａ、１２８ｂ、１２８ｃを実施例３のように背面側にずらした構成としてもよい。つまり、正面側の胴縁部材１２８ａ、１２８ｂ、１２８ｃの正面側の面と遮熱材５０の正面側の端部との間に間隔を設ける。なお、その場合には、中央に位置する胴縁部材１２８ｂは、２つに分割して胴縁部材３４ｃの両側に配置することになり、また、胴縁部材３４ｃの正面側の面は、遮熱材５０の正面側の端部の位置とすることになる。
【０１５３】
このような構成とすることにより、縦方向に屋根用パネルを隣接して施工した場合に、一方の屋根用パネル（第１屋根用パネル）の胴縁部材１２８ａ、１２８ｂ、１２８ｃと、他方の屋根用パネル（第２屋根用パネル）の胴縁部材２２との間には隙間が形成され、縦方向に隣接する２つの屋根用パネルが横方向にずれて施工された場合でも、縦方向に隣接する屋根用パネル間の通気に支障を来すことがない。
【０１５４】
また、実施例２の説明において、胴縁部材１２８ａ、１２８ｂ、１２８ｃの正面側の面は、遮熱材５０の正面側の端部と前後方向に同じ位置に形成されているとしたが、胴縁部材１２８ａ、１２８ｂ、１２８ｃのうちのいずれか１つ又は２つを背面側にずらした構成としてもよい。
【０１５５】
すなわち、胴縁部材１２８ａ、１２８ｂ、１２８ｃのうちのいずれか１つ又は２つを、実施例３の胴縁部材２２８ａ、２２８ｂや実施例４の胴縁部材２８のように、遮熱材５０の正面側の端部よりも背面側にずらして形成することにより、縦方向に隣接する屋根用パネル間の通気性をより向上させることができる。
【０１５６】
なお、胴縁部材１２８ａ、１２８ｂ、１２８ｃのうちのいずれか１つ又は２つを背面側にずらす態様としては、胴縁部材１２８ｂのみを背面側にずらす方法や、胴縁部材１２８ａ、１２８ｃのみを背面側にずらす方法がある。このように、胴縁部材１２８ａ、１２８ｂ、１２８ｃのうちのいずれか１つの正面側の面を遮熱材５０の正面側の端部に合わせておくことにより、正面側に屋根用パネル１０５を隣接させる場合に、その胴縁部材と他の屋根用パネル１０５の胴縁部材２２を接するように配置すればよいので、施工が容易となる。すなわち、胴縁部材１２８ａ、１２８ｂ、１２８ｃのうちのいずれか１つ又は２つを背面側にずらした構成とすることにより、縦方向の屋根用パネルを隣接させる施工が容易であるとともに、通気性も向上された構成となる。
【０１５７】
なお、実施例１〜３において、左右方向の両端に位置する凹部４０から胴縁部材２０の左右方向の端部（距離が短い方の端部）までの長さＳ２５は、隣接する凹部４０間の長さＳ２３の半分よりも若干長く形成されているとしたが、長さＳ２５を長さＳ２３の丁度半分としてもよく、そのように構成することにより、縦方向に屋根用パネルを隣接して施工する際に、左右方向に垂木間のピッチ長さ分の１又は複数分ずらしても、２つの屋根用パネルにおいて、凹部４０の位置を一致させることができる。
【０１５８】
また、上記の説明では、遮熱材５０は上記の構成のものであるとして説明したが、他の構成の遮熱材でもよく、例えば、アルミニウム層５２とポリエチレン層５４との間に、さらに、バブル層とポリエチレン層とを設けることにより（つまり、ポリエチレン層５４の下面にバブル層５６と同様の構成のバブル層を設け、該バブル層の下面にポリエチレン層５４と同様の構成のポリエチレン層を設ける）、空気袋を２層としてもよい。
【図面の簡単な説明】
【０１５９】
【図１】屋根用パネルの構成を示す図であり、（ａ）は平面図であり、（ｂ）は正面図を示であり（ｃ）は右側面図である（実施例１）。
【図２】屋根用パネルの分解斜視図である（実施例１）。
【図３】胴縁部材の要部斜視図である。
【図４】遮熱材を示す図であり、（ａ）はその要部平面図であり、（ｂ）は（ａ）におけるＡ−Ａ断面図である。
【図５】屋根用パネルの使用状態を示す斜視図である。
【図６】屋根用パネルの使用状態を示す要部正面図である。
【図７】２つの屋根用パネルを縦方向に隣接して施工する場合の例を示す要部平面図である。
【図８】２つの屋根用パネルを縦方向に隣接して施工する場合の例を示す要部平面図である。
【図９】２つの屋根用パネルを縦方向に隣接して施工する場合の例を示す要部平面図である。
【図１０】屋根用パネルの構成を示す図であり、（ａ）は平面図であり、（ｂ）は正面図を示であり（ｃ）は右側面図である（実施例２）。
【図１１】屋根用パネルの構成を示す図であり、（ａ）は平面図であり、（ｂ）は正面図を示であり（ｃ）は右側面図である（実施例３）。
【図１２】屋根用パネルの構成を示す図であり、（ａ）は平面図であり、（ｂ）は正面図を示であり（ｃ）は右側面図である（実施例４）。
【図１３】従来における屋根の施工方法を示す一部破断斜視図である。
【符号の説明】
【０１６０】
５、１０５、２０５、３０５  屋根用パネル
１０  野地板
２０  胴縁
２２、２４、２６、２８、３０、３２、３４ａ、３４ｂ、３４ｃ、１２８ａ、１２８ｂ、１２８ｃ、２２８ａ、２２８ｂ  胴縁部材
４０  凹部
５０  遮熱材
５２、６２  アルミニウム層
５４、６０  ポリエチレン層
５６  バブル層
６４  空気袋
５００  垂木
５２２  棟木
５２４  軒桁
【図１】
2010150886.tif 000003
【図２】
2010150886.tif 000004
【図３】
2010150886.tif 000005
【図４】
2010150886.tif 000006
【図５】
2010150886.tif 000007
【図６】
2010150886.tif 000008
【図７】
2010150886.tif 000009
【図８】
2010150886.tif 000010
【図９】
2010150886.tif 000011
【図１０】
2010150886.tif 000012
【図１１】
2010150886.tif 000013
【図１２】
2010150886.tif 000014
【図１３】
2010150886.tif 000015